(57)【要約】      （修正有）【課題】トナー回収ボトルを交換する作業を軽減できる画像形成装置を提供する。【解決手段】画像形成装置は、筐体２と、開閉カバー９と、トナー回収ボトル１１と、保持部１７とを備える。筐体２は、開口部２ａと内部空間２ｂとを有する。開口部２ａは、内部空間２ｂに連通する。開閉カバー９は、開口部２ａを開閉する。トナー回収ボトル１１は、内部空間２ｂに着脱可能に収容される。保持部１７は、開閉カバー９の内面９ｂに設けられ、トナー回収ボトル１１を着脱可能に保持する。開閉カバー９が開口部２ａに対して閉じられると、保持部１７に保持されたトナー回収ボトル１１が内部空間２ｂに収容され、開閉カバー９が開口部２ａに対して開けられると、保持部１７に保持されたトナー回収ボトル１１が内部空間２ｂから筐体２の外部に取り出される。【選択図】図３
2017198882.tif 000002
【特許請求の範囲】
【請求項１】
内部空間と前記内部空間に連通する開口部とを有する筐体と、
前記開口部を開閉する開閉カバーと、
記録媒体に画像を形成する画像形成部と、
前記内部空間に着脱可能に収容され、前記画像形成部から搬送された現像剤が収容される収容容器と、
前記開閉カバーの内面に設けられ、前記収容容器を着脱可能に保持する保持部と
を備え、
前記開閉カバーを前記開口部に対して閉じると、前記保持部に保持された前記収容容器が前記内部空間に収容され、前記開閉カバーを前記開口部に対して開けると、前記保持部に保持された前記収容容器が前記内部空間から前記筐体の外部に取り出される、画像形成装置。
【請求項２】
前記保持部は、前記収容容器が載置される載置面と、前記載置面の周縁に立設された枠部とを有する、請求項１に記載の画像形成装置。
【請求項３】
前記収容容器は、
前記現像剤が収容される容器本体と、
前記容器本体に設けられ、前記現像剤を前記容器本体の内部空間に流入させるための流入口と、
前記流入口を開閉する蓋部と
を有し、
前記筐体は、前記収容容器が収容される収容部と、前記蓋部を前記流入口に対して持ち上げる開蓋突出部とを有し、
前記収容部は、
前記蓋部が前記流入口に対して立ち上げられた状態で配置される蓋配置面と、
前記蓋配置面に隣接され、前記容器本体が収容される本体収容部と
を有し、
前記開蓋突出部は、前記蓋配置面から前記開口部の正面側に突出して設けられ、
前記収容容器が前記保持部に保持された状態で前記開閉カバーを前記筐体に対して閉じたとき、前記開蓋突出部が前記蓋部を前記流入口に対して持ち上げ、前記蓋部の先端部が前記蓋配置面を摺動して、前記蓋部が前記流入口に対して立ち上げられる、請求項１又は請求項２に記載の画像形成装置。
【請求項４】
前記蓋部の前記先端部は、前記蓋部の裏面側に傾斜しており、
前記開蓋突出部は、前記開蓋突出部の突出方向に向かって下側に傾斜する傾斜面を有する、請求項３に記載の画像形成装置。
【請求項５】
前記開蓋突出部は、前記蓋配置面に立設された基部と、前記基部の上面と前記蓋配置面とによって形成された凹角部に設けられた傾斜部とを有する、請求項４に記載の画像形成装置。
【発明の詳細な説明】
【技術分野】
【０００１】
本発明は、画像形成装置に関する。
【背景技術】
【０００２】
特許文献１に記載の画像形成装置は、筐体と、開閉カバーと、画像形成部と、トナー回収ボトルとを備える。画像形成部は、感光体ドラムを含む。画像形成部は、感光体ドラムの周面にトナー画像を形成する。トナー画像は記録媒体に転写される。筐体は、開口部を有する。開閉カバーは、筐体に配置されており、筐体の開口部を開閉する。トナー回収ボトルには、画像形成部から搬送された廃トナーが収容される。廃トナーは、トナー画像の転写後に感光体ドラムの周面に残留したトナー等を含む。トナー回収ボトルは、開口部から筐体の内部空間に着脱可能に装着される。
【０００３】
トナー回収ボトルは、ボトル本体と、流入口と、蓋部と、係止爪とを有する。流入口は、ボトル本体に設けられており、廃トナーをボトル本体に流入するための開口である。蓋部は、ボトル本体に設けられており、流入口を開閉する。係止爪は、ボトル本体における流入口の付近に設けられている。画像形成装置の筐体は、被係止部を有する。係止爪は、被係止部に係合する。この結果、トナー回収ボトルが筐体に係止される。
【０００４】
トナー回収ボトルを筐体の内部空間から取り出すときは、開閉カバーを筐体に対して開ける。そして、係止爪と被係止部との係合を解除する。そして、トナー回収ボトルを筐体の内部空間から取り出す。
【０００５】
トナー回収ボトルを筐体の内部空間に装着するときは、開閉カバーを筐体に対して開ける。そして、トナー回収ボトルの蓋部を流入口に対して開ける。そして、トナー回収ボトルを開口部から筐体の内部空間に装着する。この結果、係止爪と被係止部とが互いに係合する。そして、トナー回収ボトルが筐体に係止される。
【先行技術文献】
【特許文献】
【０００６】
【特許文献１】特開２０１３−２４６３４１号公報
【発明の概要】
【発明が解決しようとする課題】
【０００７】
しかしながら、特許文献１に記載の画像形成装置では、開閉カバーを筐体に対して開閉する作業と、トナー回収ボトルを筐体の内部から出し入れする作業とが別である。従って、トナー回収ボトルの交換に手間が掛かる。
【０００８】
本発明は上記課題に鑑みてなされたものであり、その目的は、トナー回収ボトルを交換する作業を軽減できる画像形成装置を提供することにある。
【課題を解決するための手段】
【０００９】
本発明に係る画像形成装置は、筐体と、開閉カバーと、画像形成部と、収容容器と、保持部とを備える。前記筐体は、内部空間と開口部とを有する。前記開口部は、前記内部空間に連通する。前記開閉カバーは、前記開口部を開閉する。前記画像形成部は、記録媒体に画像を形成する。前記収容容器は、前記内部空間に着脱可能に収容され、前記画像形成部から搬送された現像剤を収容する。前記保持部は、前記開閉カバーの内面に設けられ、前記収容容器を着脱可能に保持する。前記開閉カバーを前記開口部に対して閉じると、前記保持部に保持された前記収容容器が前記内部空間に収容され、前記開閉カバーを前記開口部に対して開けると、前記保持部に保持された前記収容容器が前記内部空間から前記筐体の外部に取り出される。
【発明の効果】
【００１０】
本発明に係る画像形成装置によれば、トナー回収ボトルを交換する作業を軽減できる。
【図面の簡単な説明】
【００１１】
【図１】本発明の実施形態に係る画像形成装置を示す断面図である。
【図２】筐体を示す斜視図である。
【図３】筐体の開口部、開閉カバーの裏側、及びトナー回収ボトルを示す斜視図である。
【図４】開蓋突出部の周辺を示す斜視図である。
【図５】筐体を示す斜視図である。
【図６】筐体を示す斜視図である。
【図７】開蓋突出部及び蓋部を含む周辺を示す断面図である。
【図８】開蓋突出部及び蓋部を含む周辺を示す断面図である。
【発明を実施するための形態】
【００１２】
以下、本発明の実施形態について、図面を参照しながら説明する。なお、図中、同一又は相当部分については同一の参照符号を付して説明を繰り返さない。
【００１３】
図１を参照して、本発明の実施形態に係る画像形成装置１について説明する。図１は、画像形成装置１を示す断面図である。
【００１４】
図１に示すように、画像形成装置１は、例えばプリンターであり、用紙Ｐ（記録媒体）に画像を形成する。画像形成装置１は、筐体２と、給紙カセット３と、画像形成部４と、排紙トレイ５と、用紙搬送路Ｌと、トナー回収部１０と、トナー回収ボトル１１（収容容器）とを備える。
【００１５】
筐体２は、内部空間２ｂを有する。筐体２の内部空間２ｂには、給紙カセット３、画像形成部４、用紙搬送路Ｌ、トナー回収部１０、及び、トナー回収ボトル１１が収容される。筐体２は、例えば直方体形の箱状である。筐体２は、前面２Ｆ、後面２Ｂ、左面２Ｌ、右面、及び、上面２Ｕを有する。左面２Ｌは、図中の紙面垂直方向の奥側に面している。右面は、図中の紙面垂直方向の手前側に面している。前面２Ｆ側、後面２Ｂ側、左面２Ｌ側及び右面側をそれぞれ、画像形成装置１の前側、後側、左側及び右側と記載する場合がある。
【００１６】
排紙トレイ５には、用紙Ｐが排出される。排紙トレイ５は、筐体２の上面２Ｕに凹状に設けられている。排紙トレイ５の後端部５ａには、用紙排出口７が設けられている。用紙排出口７は、用紙Ｐを筐体２の内部空間２ｂから排紙トレイ５に排出するための開口である。
【００１７】
用紙搬送路Ｌは、用紙Ｐを、給紙カセット３から画像形成部４を経由して用紙排出口７に案内する。給紙カセット３は、用紙搬送路Ｌを通じて画像形成部４に用紙Ｐを供給する。画像形成部４は、用紙Ｐにトナー画像を形成する。用紙Ｐは、画像形成部４による画像形成処理の後、用紙搬送路Ｌを通じて用紙排出口７に搬送される。そして、用紙Ｐは、用紙排出口７から排紙トレイ５に排出される。
【００１８】
画像形成部４は、感光体ドラム４ａとクリーニング装置４ｂとを含む。画像形成部４は、感光体ドラム４ａの周面にトナー画像を形成する。本実施形態では、感光体ドラム４ａの周面に形成されたトナー画像が直接用紙に転写される。クリーニング装置４ｂは、トナー画像の転写後に感光体ドラム４ａの周面に残留したトナーを感光体ドラム４ａの周面から取り除く。
【００１９】
トナー回収部１０は、クリーニング装置４ｂによって感光体ドラム４ａの周面から取り除かれたトナーを回収し、そのトナーをトナー回収ボトル１１に貯留する。この結果、トナー回収ボトル１１には、トナー（現像剤）が収容される。トナー回収ボトル１１は、筐体２の内部空間２ｂに着脱可能に収容されている。
【００２０】
図２を参照して、画像形成装置１について更に説明する。図２は、筐体２を示す斜視図である。
【００２１】
図２に示すように、画像形成装置１は、開閉カバー９を更に備える。筐体２は、開口部２ａを更に有する。
【００２２】
開口部２ａは、筐体２の側面（例えば左面２Ｌ）に設けられており、筐体２の内部空間２ｂに連通している。開口部２ａは、例えば矩形形状を有する。図１を参照して説明したトナー回収ボトル１１は、開口部２ａから筐体２の内部空間２ｂに着脱可能に収容される。
【００２３】
開閉カバー９は、筐体２に対して回動可能に配置されており、開口部２ａを開閉する。開閉カバー９は、例えば、平面視矩形の平板形状を有する。開閉カバー９は、開閉カバー９の一辺（例えば後辺９ａ）を支点にして筐体２に対して回動される。
【００２４】
図３を参照して、画像形成装置１について更に説明する。図３は、筐体２の開口部２ａ、開閉カバー９の裏側、及びトナー回収ボトル１１を示す斜視図である。
【００２５】
図３に示すように、トナー回収ボトル１１は、例えば略Ｌ字形の箱形状を有する。トナー回収ボトル１１は、ボトル本体１２（容器本体）と、流入口１３と、蓋部１４と、ヒンジ部１５とを有する。
【００２６】
ボトル本体１２は、トナー回収ボトル１１の本体部分である。ボトル本体１２は、例えば略Ｌ字形の箱形状を有する。ボトル本体１２の底面形状は、略矩形形状である。ボトル本体１２は、水平部１２ａと、垂直部１２ｂと、受入部１２ｃとを有する。
【００２７】
水平部１２ａは、略直方体形の箱形状を有する。垂直部１２ｂは、略直方体形の箱形状を有する。垂直部１２ｂは、水平部１２ａの上面における長手方向の一端部に設けられており、水平部１２ａの上面から上方向に向かって突出している。垂直部１２ｂの内部空間は、水平部１２ａの内部空間に連通している。垂直部１２ｂは、トナー回収ボトル１１の把持部として機能する。即ち、使用者は、垂直部１２ｂを親指と人差し指とで挟むことによって、トナー回収ボトル１１を把持できる。受入部１２ｃは、筒形状を有する。受入部１２ｃは、垂直部１２ｂの上面に立設されており、受入部１２ｃの一端開口は、上方向に向けられている。受入部１２ｃの内部空間は、垂直部１２ｂの内部空間に連通している。
【００２８】
流入口１３は、トナーをボトル本体１２の内部に流入させるための開口である。流入口１３は、ボトル本体１２の上部に設けられている。詳しくは、流入口１３は、受入部１２ｃの一端開口によって構成されている。
【００２９】
蓋部１４は、流入口１３を開閉する。蓋部１４は、例えば平面視略矩形の板形状を有する。
【００３０】
ヒンジ部１５は、蓋部１４とボトル本体１２とをヒンジ結合する。この結果、蓋部１４は、ボトル本体１２に対して回動可能である。蓋部１４がボトル本体１２に対して回動されると、流入口１３が蓋部１４によって開閉される。
【００３１】
詳しくは、ヒンジ部１５は、蓋部１４の基端部と、受入部１２ｃの外周面のうちの一側の部分とをヒンジ結合する。一側とは、ボトル本体１２の両側の略Ｌ字形状の側面のうちの一側の側面が面する側である。この結果、蓋部１４の先端部１４ａは、蓋部１４の基端部を支点として開閉される。先端部１４ａは、蓋部１４における基端部の側とは反対側の端部である。
【００３２】
画像形成装置１は、保持部１７を更に備える。
【００３３】
保持部１７は、トナー回収ボトル１１を着脱可能に保持する。保持部１７は、開閉カバー９の内面９ｂに設けられており、内面９ｂの正面側に突出している。保持部１７は、載置部１７ａと、枠部１７ｂとを有する。
【００３４】
載置部１７ａには、トナー回収ボトル１１が載置される。載置部１７ａは、水平方向に延びた略矩形の板形状を有する。載置部１７ａの平面形状は、トナー回収ボトル１１の底面形状と同じである。載置部１７ａは、開閉カバー９の内面９ｂに立設されている。載置部１７ａは、載置面１７ｃを有する。載置面１７ｃには、トナー回収ボトル１１が載置される。載置面１７ｃは、載置部１７ａの両側の主面のうちの上側の主面である。載置面１７ｃの長手方向は、開閉カバー９の内面９ｂの横方向に沿っている。載置面１７ｃの短手方向は、内面９ｂに直交する方向に沿っている。
【００３５】
枠部１７ｂは、載置面１７ｃ上でのトナー回収ボトル１１の位置を決める。また、枠部１７ｂは、トナー回収ボトル１１が載置面１７ｃから落ちることを防止する。
【００３６】
枠部１７ｂは、載置面１７ｃの周縁に立設されている。図３を参照して説明する具体例では、載置面１７ｃは、２つの短辺ｈ１，ｈ２と、２つの長辺ｈ３，ｈ４とを有する。長辺ｈ３は、開閉カバー９の内面９ｂに連結されている。長辺ｈ４は、内面９ｂに連結されていない。枠部１７ｂは、２つの短辺ｈ１，ｈ２の各々の全区間と、一方の長辺ｈ４の一部区間とに立設されている。
【００３７】
載置面１７ｃに対する枠部１７ｂの高さＨ１は、例えば、トナー回収ボトル１１の水平部１２ａの上下方向の長さＨ２と略同じである。
【００３８】
トナー回収ボトル１１は、矢印Ｙ１に示すように、保持部１７の上側から載置面１７ｃに載置される。この結果、トナー回収ボトル１１は、保持部１７に保持される。
【００３９】
画像形成装置１は、収容凹部２０（収容部）と、開蓋突出部２３とを更に備える。
【００４０】
収容凹部２０には、トナー回収ボトル１１が収容される。収容凹部２０は、筐体２の内部空間２ｂにおいて、開口部２ａの開口面に面して配置されている。収容凹部２０は、本体収容部２１と、蓋収容部２２とを有する。
【００４１】
本体収容部２１には、トナー回収ボトル１１のボトル本体１２が収容される。この結果、ボトル本体１２は、本体収容部２１に嵌合する。本体収容部２１は、側面視略Ｌ字形の凹部である。本体収容部２１は、水平凹部２１ａと、垂直凹部２１ｂと、受入凹部２１ｃとを有する。
【００４２】
水平凹部２１ａは、開口部２ａの横方向に延びた凹部である。水平凹部２１ａには、ボトル本体１２の水平部１２ａが収容される。垂直凹部２１ｂは、水平凹部２１ａにおける長手方向の一端部から上方向（即ち開口部２ａの縦方向）に延びた凹部である。垂直凹部２１ｂには、ボトル本体１２の垂直部１２ｂが収容される。受入凹部２１ｃは、垂直凹部２１ｂの上面から上方向に延びが凹部である。受入凹部２１ｃには、トナー回収ボトル１１の受入部１２ｃが収容される。水平凹部２１ａ、垂直凹部２１ｂ、及び受入凹部２１ｃの各々の内部空間は、連通している。
【００４３】
本体収容部２１は、略Ｌ字形状の奥面２１ｄを有する。奥面２１ｄに対する本体収容部２１の深さＨ３は、ボトル本体１２の幅Ｈ４と略同じである。幅Ｈ４は、ボトル本体１２における両側の略Ｌ字形状の主面の間の幅である。
【００４４】
受入凹部２１ｃは、開口部を有する。開口部は、トナーを、図１を参照して説明したトナー回収部１０から本体収容部２１の内部空間に排出するための開口である。開口部は、受入凹部２１ｃの上壁部２１ｅに設けられている。
【００４５】
蓋収容部２２には、トナー回収ボトル１１の蓋部１４が収容される。詳しくは、蓋収容部２２には、蓋部１４が、トナー回収ボトル１１の流入口１３に対して立ち上げられた状態で収容される。
【００４６】
蓋収容部２２は、受入凹部２１ｃの上面（即ち本体収容部２１の上部）から上方向に延びた底浅の凹部である。蓋収容部２２の平面形状は、略矩形形状であり、蓋部１４の平面形状と略同じである。蓋収容部２２は、奥面２２ａ（蓋配置面）を有する。奥面２２ａに蓋部１４が配置される。奥面２２ａは、本体収容部２１に隣接している。奥面２２ａに対する蓋収容部２２の深さは、蓋部１４の厚さと略同じである。即ち、蓋収容部２２は、本体収容部２１よりも浅い。蓋収容部２２の内部空間の下面は、本体収容部２１の内部空間と連通している。
【００４７】
開蓋突出部２３は、トナー回収ボトル１１の蓋部１４を、流入口１３に対して開ける。即ち、蓋部１４を流入口１３に対して持ち上げる。開蓋突出部２３は、蓋収容部２２の奥面２２ａの下部に設けられている。開蓋突出部２３は、開口部２ａの正面側に突出している。奥面２２ａは、開口部２ａの開口面に平行である。
【００４８】
図４を参照して、開蓋突出部２３について更に説明する。図４は、開蓋突出部２３の周辺を示す斜視図である。
【００４９】
図４に示すように、開蓋突出部２３は、基部２３ａと、傾斜部２３ｂとを有する。
【００５０】
基部２３ａは、傾斜部２３ｂを支持する。基部２３ａは、平面視矩形の板形状を有する。基部２３ａは、蓋収容部２２の奥面２２ａの下部から左方向に立設されている。基部２３ａの平面視矩形の短手方向は、奥面２２ａに直交する方向に沿っている。基部２３ａの平面視矩形の長手方向は、奥面２２ａの横方向に沿っている。基部２３ａは、上面２３ｃを有する。上面２３ｃは、基部２３ａの両側の主面のうちの上側の主面である。
【００５１】
傾斜部２３ｂは、蓋部１４をトナー回収ボトル１１の流入口１３に対して持ち上げる。傾斜部２３ｂは、側面視三角形の板形状を有する。傾斜部２３ｂは、凹角部Ｋに設けられている。凹角部Ｋは、上面２３ｃと奥面２２ａとの境界に形成された凹角部である。傾斜部２３ｂは、上面２３ｃ及び奥面２２ａに対して垂直である。傾斜部２３ｂは、斜辺部２３ｄを有する。斜辺部２３ｄは、奥面２２ａから正面（即ち開口部２ａの正面）に向かって下方向に傾斜している。
【００５２】
図４を参照して説明する具体例では、傾斜部２３ｂは、２つ設けられている。２つの傾斜部２３ｂ，２３ｂは、互いに間隔を空けて設けられている。
【００５３】
図５及び図６を参照して、トナー回収ボトル１１を筐体２の内部空間２ｂに収容する手順を説明する。図５及び図６はそれぞれ、筐体２を示す斜視図である。図５においては、開閉カバー９は、筐体２に対して全開されている。図６においては、開閉カバー９は、筐体２に対して半開されている。図５及び図６においては、保持部１７は、トナー回収ボトル１１を保持しており、トナー回収ボトル１１の蓋部１４は、流入口１３に対して閉じられている。
【００５４】
図５に示すように、トナー回収ボトル１１を筐体２の内部空間２ｂに収容するときは、先ず、開閉カバー９を筐体２に対して開ける。そして、トナー回収ボトル１１を保持部１７に保持させる。トナー回収ボトル１１の蓋部１４は、トナー回収ボトル１１の流入口１３に対して閉じられている。即ち、トナー回収ボトル１１を筐体２の内部空間２ｂに収容するとき、使用者は、トナー回収ボトル１１の蓋部１４を流入口１３に対して開ける必要がない。そして、矢印Ｙ２に示すように、使用者は、開閉カバー９を筐体に対して閉じる。
【００５５】
そして、図６に示すように、開閉カバー９が筐体２に対して半分閉じられると、開蓋突出部２３が蓋部１４の先端部１４ａに当接する。この結果、開蓋突出部２３によって、蓋部１４が流入口１３に対して持ち上げられる。そして、矢印Ｙ３に示すように、開閉カバー９が筐体２に対して更に閉じられると、蓋部１４の先端部１４ａが蓋収容部２２の奥面２２ａに当接して、先端部１４ａが奥面２２ａを上方に向かって摺動する。そして、開閉カバー９が筐体２に対して完全に閉じられると、蓋部１４が流入口１３に対して立ち上げられる。そして、蓋部１４が蓋収容部２２に収容される。
【００５６】
また、開閉カバー９が筐体２に対して完全に閉じられると、保持部１７は、収容凹部２０の水平凹部２１ａに収容される。この結果、保持部１７に保持されたトナー回収ボトル１１のボトル本体１２は、本体収容部２１に収容される。即ち、蓋部１４が流入口１３に対して開けられた状態で、トナー回収ボトル１１が収容凹部２０に収容される。このように、トナー回収ボトル１１が筐体２の内部空間２ｂに収容される。
【００５７】
図示省略されるが、トナー回収ボトル１１を筐体２の内部空間２ｂから筐体２の外部に取り出すときは、開閉カバー９を筐体２に対して開ける。従って、筐体２に対する開閉カバー９の開動作に伴って、保持部１７が収容凹部２０から取り出される。この結果、トナー回収ボトル１１は、保持部１７に保持された状態で、筐体２の内部空間２ｂから筐体２の外部に取り出される。
【００５８】
図５及び図６を参照して説明したように、使用者は、保持部１７にトナー回収ボトル１１を保持させた状態で、開閉カバー９を筐体２に対して開閉する。従って、筐体２に対する開閉カバー９の開閉作業と、筐体２に対するトナー回収ボトル１１の出し入れ作業とを１つの作業で行える。この結果、トナー回収ボトル１１を交換する作業を軽減できる。
【００５９】
また、トナー回収ボトル１１を筐体２から取り出すとき、使用者は、トナー回収ボトル１１の流入口１３の近傍を触る必要がない。この結果、手が、流入口１３付近に付着したトナーで汚れることを防止できる。
【００６０】
また、筐体２に対する開閉カバー９の閉動作に伴って、開蓋突出部２３が蓋部１４を流入口１３に対して持ち上げる。そして、奥面２２ａが蓋部１４を流入口１３に対して立ち上げる。従って、トナー回収ボトル１１を筐体２に収容するとき、使用者は、蓋部１４を流入口１３に対して開ける必要がない。この結果、トナー回収ボトル１１を交換する作業を更に軽減できる。
【００６１】
図７及び図８を参照して、開蓋突出部２３が蓋部１４を持ち上げる仕組みについて更に説明する。図７及び図８は、開蓋突出部２３及び蓋部１４を含む周辺を示す断面図である。図７においては、開閉カバー９は、筐体２に対して半分閉じられており、図８においては、開閉カバー９は、筐体２に対して更に閉じられている。
【００６２】
図７に示すように、蓋収容部２２の奥面２２ａの下部２２ｂは、蓋部１４の通過軌道Ｓ上に配置されている。蓋部１４の通過軌道Ｓとは、トナー回収ボトル１１が保持部１７に保持され、且つ、蓋部１４が流入口１３に対して閉じられた状態で、開閉カバー９が筐体２に対して閉じられるときに、蓋部１４が通過する軌道である。
【００６３】
開蓋突出部２３は、奥面２２ａの下部２２ｂに設けられている。この結果、開蓋突出部２３の下部（即ち基部２３ａ）が蓋部１４の通過軌道Ｓ上に配置されている。基部２３ａの先端面２３ｅは、傾斜部２３ｂの斜辺部２３ｄに沿って傾斜している。先端面２３ｅと斜辺部２３ｄは、互いに平坦である。この結果、蓋部１４が先端面２３ｅから斜辺部２３ｄへと円滑に摺動できる。
【００６４】
開蓋突出部２３は、傾斜面２３ｆを有する。傾斜面２３ｆは、先端面２３ｅ及び斜辺部２３ｄによって構成されている。傾斜面２３ｆは、開蓋突出部２３の突出方向に向かって下側に傾斜している。
【００６５】
蓋部１４の先端部１４ａは、蓋部１４の両側の主面のうちの裏側の主面１４ｂ（裏面）側に傾斜している。この結果、先端部１４ａが開蓋突出部２３の傾斜面２３ｆに当接したとき、開蓋突出部２３によって、先端部１４ａが流入口１３に対して持ち上げられ易い。
【００６６】
開閉カバー９が筐体２に対して閉じられると、蓋部１４の先端部１４ａが開蓋突出部２３の先端面２３ｅに当接する。そして、筐体２に対する開閉カバー９の閉動作に伴って、先端部１４ａが開蓋突出部２３の傾斜面２３ｆを上側に向かって摺動する。この結果、蓋部１４が流入口１３に対して持ち上げられる。
【００６７】
そして、図８に示すように、開閉カバー９が筐体２に対して更に閉じられると、蓋部１４が奥面２２ａを上側に向かって摺動する。そして、開閉カバー９が筐体２に対して完全に閉じられると、蓋部１４が流入口１３に対して立ち上げられる。
【００６８】
以上、図面（図１〜図８）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【符号の説明】
【００６９】
１  画像形成装置
２  筐体
２ａ  開口部
２ｂ  内部空間
９  開閉カバー
９ｂ  内面
１１  トナー回収ボトル（収容容器）
１７  保持部
１７ｂ  枠部
１７ｃ  載置面
１２  ボトル本体（容器本体）
１３  流入口
１４  蓋部
１４ａ  先端部
１４ｂ  裏側の主面（裏面）
２０  収容凹部（収容部）
２１  本体収容部
２２ａ  奥面（蓋配置面）
２３  開蓋突出部
２３ａ  基部
２３ｂ  傾斜部
２３ｆ  傾斜面
Ｋ  凹角部
Ｐ  用紙（記録媒体）
【図１】
2017198882.tif 000003
【図２】
2017198882.tif 000004
【図３】
2017198882.tif 000005
【図４】
2017198882.tif 000006
【図５】
2017198882.tif 000007
【図６】
2017198882.tif 000008
【図７】
2017198882.tif 000009
【図８】
2017198882.tif 000010